(57)【要約】  【課題】  患部の消毒作業時における作業の内容および効率の向上や消毒用の液体の節約を図ることができ、また、消毒用の液体を良好な状態に維持しつつ収容することができ、コンパクトで携帯に適した安価な患部消毒具を提供すること。  【解決手段】  密閉された袋体１内がイージーシール部分２により二つの収容部３，４に仕切られており、一方の収容部３内に消毒用の液体５を、他方の収容部４内に前記消毒用の液体５を含浸させるための部材６をそれぞれ収容してある。  【選択図】  図１
2005237588.tif 000002
【特許請求の範囲】
【請求項１】
密閉された袋体内がイージーシール部分により二つの収容部に仕切られており、一方の収容部内に消毒用の液体を、他方の収容部内に前記消毒用の液体を含浸させるための部材をそれぞれ収容してあることを特徴とする患部消毒具。
【請求項２】
前記消毒用の液体がヨード液である請求項１に記載の患部消毒具。
【発明の詳細な説明】
【技術分野】
【０００１】
この発明は、例えば、消毒用の液体とこの液体を含ませてこれを患部に塗布するための脱脂綿・不織布などの部材とを備えた患部消毒具に関する。
【背景技術】
【０００２】
例えば、患部の消毒方法として、綿球を蓋付き容器内に収容された消毒用の液体に浸漬し、前記綿球に消毒用の液体を含ませて塗布することが行われている。
【発明の開示】
【発明が解決しようとする課題】
【０００３】
しかし、上記方法では、綿球に含ませた消毒用の液体の量が多すぎると、綿球から前記液体が垂れ、それによって衣服や床などが汚れるおそれがあるとともに、無駄になる消毒用の液体が増えてしまう。また、反対に、綿球に含ませる前記液体の量が少なすぎると、患部の消毒が不充分になる。しかも、消毒作業を行うたびに消毒用の液体の入った蓋付き容器を開閉することになるので、大気中の酸素や雑菌等によって消毒用の液体が早期に劣化してしまうおそれがあった。
【０００４】
この発明は上述の事柄に留意してなされたもので、その目的は、患部の消毒作業時における作業の内容および効率の向上や消毒用の液体の節約を図ることができ、また、消毒用の液体を良好な状態に維持しつつ収容することができ、しかもコンパクトで携帯に適した安価な患部消毒具を提供することである。
【課題を解決するための手段】
【０００５】
上記目的を達成するために、この発明の患部消毒具は、密閉された袋体内がイージーシール部分により二つの収容部に仕切られており、一方の収容部内に消毒用の液体を、他方の収容部内に前記消毒用の液体を含浸させるための部材をそれぞれ収容してあることを特徴としている（請求項１）。
【０００６】
具体的には、前記消毒用の液体がヨード液である（請求項２）。
【発明の効果】
【０００７】
請求項１および２に係る発明では、前記一方の収容部内に収容する消毒用の液体の量を、他方の収容部内に収容する消毒用の液体を含浸させるための部材（以下、含浸部材という）に対応させることで、確実に適量の消毒用の液体を含浸部材に含ませることができ、ひいては患部の消毒作業時における作業の内容および効率の向上や消毒用の液体の節約を図ることができる患部消毒具が得られる。また、この患部消毒具は、消毒用の液体を酸素や雑菌等から完全に隔離し、長期間（例えば、三年以上）良好な状態で保存することができる。さらに、この患部消毒具は、その使用時に、例えば、前記他方の収容部に衝撃を加え、イージーシール部分の一部を剥離させ、この剥離部分から前記一方の収容部内の液体を他方の収容部へと送り、含浸部材に含ませるだけでよいので、非常に使用性の面で優れたものとなっている。また、前記患部消毒具は構造がシンプルかつコンパクトであるので携帯に便利で、しかも、自動充填機などの装置を用いて高速で連続形成することができ、製造コストの低減を図ることもできる。
【発明を実施するための最良の形態】
【０００８】
図１〜図３は、この発明の一実施例を示す。まず、図１および図２は、この発明の一実施例に係る患部消毒具の構成を概略的に示す斜視図および縦断面図であり、図１および図２において、１は内部が密閉された袋体であり、この袋体１は、二枚のほぼ矩形状のフィルム体の周縁部どうしを容易に剥がれることがないように例えば熱融着等によって強力に接着してなり、各フィルム体は、透明または半透明な樹脂より形成されている。
【０００９】
そして、袋体１内の中央を縦断し、袋体１の内部をほぼ二分割するようにイージーシール部分２が設けられている。このイージーシール部分２は、例えば、前記二枚のフィルム体の中央部を、フィルム体とは異なる材料よりなるシール用部材２ａを介して熱融着等により接着することによって形成され、適宜の力で容易に剥がすことができるように構成されている。すなわち、イージーシール部分２を形成するシール用部材２ａと前記各フィルム体の中央部との接着力は、前記二枚のフィルム体の周縁部どうしの接着力よりも小さくなっている。
【００１０】
また、前記イージーシール部分２により袋体１内は二つの収容部３，４に仕切られており、一方の収容部（以下、第一収容部という）３内に消毒用の液体（この実施例ではヨード液）５および窒素ガスが、他方の収容部（以下、第二収容部という）４内に複数（この実施例では三つ）の含浸部材としての綿球６および窒素ガスがそれぞれ収容されている。すなわち、二つの収容部３，４内には、空気を窒素ガスに置換して封入してある。
【００１１】
ここで、図１および図２に示すように、イージーシール部分２が剥がれていない状態（保管状態）にある患部消毒具では、第一収容部３と第二収容部４とは完全に隔離されており、第一収容部３内の液体５やガスが第二収容部４内に進入したり、第二収容部４内のガスが第一収容部３内に進入したりすることはない。
【００１２】
なお、７は袋体１の周縁部における第二収容部４付近に設けられた開封用の切り込み部分である。
【００１３】
上記の構成からなる患部消毒具を使用するには、以下のようにすればよい。すなわち、まず、図１および図２に示す保管状態にある患部消毒具の第二収容部４を例えば手で挟み込むようにして叩き、衝撃を加える。すると、図３に示すように、この衝撃によって前記イージーシール部分２の一部が剥がれる。そして、この剥離した部分８から第一収容部３内にある液体５を第二収容部４へと送り、この液体５を各綿球６に含ませる。これにより、綿球６の使用が可能な状態となり、その後、例えば、切り込み部分７を手で引き裂いて袋体１を破り、ピンセット等の道具を用いて綿球６を取り出して用いればよい。
【００１４】
ここで、患部消毒具の製造ラインにおいて綿球６を袋体１内に収容する際には、通常、綿球６内に僅かながらも空気が残存している。従って、この実施の形態では、綿球６内に残存する空気中の酸素や雑菌等が消毒用の液体５としてのヨード液を劣化させることを防止するために、保管状態のときにはヨード液５を綿球６から隔離し、酸素および雑菌等を含まない窒素ガスとともに第一収容部３内に収容しており、使用状態のときにヨード液を綿球６に含ませるようにしている。そのため、上記患部消毒具が保管状態にあるときには、ヨード液５が酸素および雑菌等から完全に隔離され、長期間良好な状態で保存されることになる。
【００１５】
なお、この発明は上記の実施の形態に限られず、種々に変形して実施することができる。例えば、袋体１をなす二枚のフィルム体に、光の透過を遮断する性質を備えたアルミニウム（アルミ箔）などの材料（部材）よりなる層を内蔵させることにより、太陽光線の照射等によって袋体１内に収容したヨード液が劣化するのを確実に防止することができる。
【００１６】
また、消毒用の液体５はヨード液に限られず、酸素や雑菌等に接触することで劣化（酸化）する他の消毒用の液体でもよい。
【００１７】
また、イージーシール部分２を設けず、液体５を綿球６に含ませた状態で袋体１内に収容してもよい。この場合、綿球６に含まれる酸素を排除しておくことで液体５が酸素により劣化するのを防止することができる。また、このとき、液体５として酸素により劣化しない消毒用の液体を用いてもよい。
【００１８】
さらに、袋体１の第一収容部３および第二収容部４内に封入するガスとして、窒素ガスに代えてヘリウム、アルゴン等の他の不活性ガスなど、消毒用の液体５と反応しないガスを用いてもよい。
【００１９】
また、第二収容部４内に収容する綿球６の数は三つに限られず、一つあるいは二つでもよく、四つ以上でもよい。
【００２０】
また、袋体１に第一収容部３および第二収容部４とは別の第三収容部（図示していない）を設け、この第三収容部内に綿球６を取り扱うための合成樹脂製のピンセットなどの道具を収容してもよい。
【００２１】
また、上記実施例では、含浸部材として綿球６を用いているが、前記綿球６に代えて、あるいは綿球６に加えて、例えば、カット綿等の脱脂綿、ガーゼ、不織布の他、棒状体の先端に綿球部を設けてなる綿棒などを用いてもよい。
【図面の簡単な説明】
【００２２】
【図１】この発明の一実施例に係る患部消毒具の構成を概略的に示す斜視図である。
【図２】前記患部消毒具の構成を概略的に示す縦断面図である。
【図３】使用状態の前記患部消毒具の構成を概略的に示す斜視図である。
【符号の説明】
【００２３】
１  袋体
２  イージーシール部分
３  一方の収容部
４  他方の収容部
５  消毒用の液体
６  綿球
【図１】
2005237588.tif 000003
【図２】
2005237588.tif 000004
【図３】
2005237588.tif 000005